(57)【特許請求の範囲】
【請求項１】
臥床者の洗髪時に該臥床者の頭部の下方に配置され、洗髪に使用した湯水の吸収に使用可能な主パッドと、該主パッドに重ねて使用可能な補助パッドとを有する洗髪用吸収パッドセットであって、
前記主パッドは、使用時に臥床者の頭部から相対的に近い位置に配される液透過性の表面シートと、該頭部から相対的に遠い位置に配される液難透過性の裏面シートと、両シート間に配置される主吸収体とを具備する吸収性本体を備え、該吸収性本体は、臥床者の身長方向に対応する縦方向と、該身長方向に直交する方向に対応する横方向とを有し、
前記補助パッドは、液透過性の第１のシートと、液透過性又は液難透過性の第２のシートと、両シート間に配置された補助吸収体とを具備し、
前記主パッドにおける前記吸収性本体の前記縦方向の両端部に、使用時に上方に向かって起立する一対の防漏カフが前記横方向に延びるように配されており、
前記防漏カフは、前記吸収性本体から近い順に、基壁部と弾性伸縮部とを含んで構成され、該基壁部は、上端側が下端側よりも該吸収性本体の縦方向中央から近い位置に配され、該弾性伸縮部は、該基壁部の上端部に連接され、外側端部が該基壁部の上端部よりも該吸収性本体の縦方向中央から遠い位置に配され、且つ前記横方向に伸縮性を有しており、
前記外側端部は、前記縦方向における前記弾性伸縮部の両端部のうちの、前記防漏カフの自由端部側の端部であり、
前記外側端部が、前記防漏カフの自由端部を形成しているか、又は前記外側端部よりも延出する先端側延出部が、前記防漏カフの自由端部を形成しており、
前記補助パッドの端部が、前記主パッドの前記一対の防漏カフのうちの何れか一方における前記弾性伸縮部又は前記先端側延出部に接合されており、その両パッドの接合部を中心として該補助パッドが回動可能になされている洗髪用吸収パッドセット。
【請求項２】
前記補助パッドは、前記一対の防漏カフのうち、使用時に臥床者の後頚部を配する側の防漏カフとは反対側の防漏カフに接合されている請求項１に記載の洗髪用吸収パッドセット。
【請求項３】
前記補助パッドの回動により、補助パッド展開形態と補助パッド収納形態との両使用形態を採り得るように構成されており、
前記補助パッド展開形態は、前記主パッドの前記主吸収体と前記補助パッドの前記補助吸収体とが重ならず且つ前記第２のシートが前記補助パッドの上面を形成する形態であり、
前記補助パッド収納形態は、前記主パッドの前記主吸収体と前記補助パッドの前記補助吸収体とが重なり且つ前記第１のシートが前記補助パッドの上面を形成する形態である請求項１又は２に記載の洗髪用吸収パッドセット。
【請求項４】
前記補助パッドは、前記防漏カフの自由端部に接合されている、請求項１〜３の何れか１項に記載の洗髪用吸収パッドセット。
【請求項５】
展開状態において、前記補助パッドは、前記主吸収体に比して前記横方向の長さが短い請求項１〜４の何れか１項に記載の洗髪用吸収パッドセット。
【請求項６】
前記主パッド上に前記補助パッドを重ねた状態において、該補助パッドの上面が液透過性である請求項１〜５の何れか１項に記載の洗髪用吸収パッドセット。
【請求項７】
前記補助パッドにおける、該補助パッドを前記主パッド上に重ねるときに該主パッドと対向する面に、該補助パッドを該主パッドに着脱自在に固定する固定手段が配されている請求項１〜６の何れか１項に記載の洗髪用吸収パッドセット。
【請求項８】
請求項３に記載の洗髪用吸収パッドセットを用いた洗髪方法であって、
前記補助パッド展開形態及び前記補助パッド収納形態のうちの何れか一方の使用形態で洗髪作業の一部を行った後、他方の使用形態で残りの洗髪作業を行う、洗髪方法。
【請求項９】
前記補助パッド展開形態における洗髪作業及び前記補助パッド収納形態における洗髪作業を、前記一対の防漏カフのうち、前記補助パットが接合されている側の防漏カフとは反対側の防漏カフ上に、洗髪対象者の後頚部を配して行う、請求項８に記載の洗髪方法。
【発明の詳細な説明】
【技術分野】
【０００１】
本発明は、介護者などが臥床者の洗髪をその臥床状態のまま実施する際に、洗髪に使用した湯水の吸収に使用可能な洗髪補助具に関する。
【背景技術】
【０００２】
病院や介護施設などでは、ベッドや布団で臥床状態のまま自分で体を思うように動かせない患者や被介護者などの臥床者に対して、定期的に洗髪が行われる。臥床者の洗髪は、頭髪が清潔に保たれるという衛生面のみならず、臥床者の心身をリラックスさせる効果も期待でき、重要な患者ケアの１つと考えられている。従来、臥床者の洗髪には、洗髪による寝床の濡れや汚れを防止する目的で、吸水性の使い捨ておむつが使用される場合がある。即ち、使い捨ておむつを適当な形状、大きさにカットしたものを、臥床者の頭部の下方に敷いて洗髪を行うという方法であるが、本来尿などの排泄物の吸収に使用されるおむつを頭部にあてがうということが、臥床者にとっては大きなストレス要因となり得、また、敷物として使用されるおむつは、洗髪用途を考慮したものではないため洗髪において使い勝手が良いとは言い難く、作業性の点でも改善の余地がある。
【０００３】
臥床者の洗髪専用道具としては従来、ケリーパッド（登録商標）と呼ばれるゴム製の洗髪具、あるいはこのケリーパッドと同様の構成の自作の洗髪具が使用されている。ケリーパッドは、臥床者の頭部が載せられるパッドと、該パッドに連接された排水路とを備え、使用時には、該パッドを臥床者の頭部の下方に配置し、該排水路の一端を臥床者よりも下方位置、例えば臥床者が寝ているベッドの下に配置したバケツの中に配置し、その状態で臥床者の頭部上方より頭髪に向けて湯水を流しながら洗髪を実施する。斯かる洗髪方法によれば、洗髪に使用した湯水は排水路を通ってベッドの下のバケツに溜まるので、ベッドや布団を濡らさずに洗髪を行うことができる。しかしながら斯かる洗髪方法は、準備や後片付けが面倒であり、また水漏れの心配があるなど、改善の余地がある。
【０００４】
臥床者の洗髪方法の改良技術に関し、例えば特許文献１には、洗髪時に臥床者の頭部が載せられるパッド本体を高分子吸収体から構成し、洗髪時に使用する湯水を該パッド本体自体で吸収し得るようにすることで、ケリーパッドでは必須となっている排水路を不要とした臥床者洗髪用使い捨て水吸収パッドが記載されている。特許文献１には、パッド本体の周縁に水漏れ防止壁を設けることも記載されている。
【０００５】
また特許文献２には、平面視帯状且つ弧状の紙おむつ素材から構成され、且つその湾曲方向にシャンプー用部、すすぎ用部及び後頭部の水分吸収用部の３区分に区画された構成のシャンプーシートが記載されている。このシャンプーシートは、洗髪におけるシャンプー工程、すすぎ工程及び水分拭き取り工程の各工程において、該シャンプーシートにおける各工程に対応する区分が臥床者の頭部の下方に位置するように該シャンプーシートを逐次移動させて使用され、また使用後には、該シャンプーシートを丸めた状態にして廃棄可能になされている。
【先行技術文献】
【特許文献】
【０００６】
【特許文献１】特開２００６−５８０号公報
【特許文献２】実用新案登録第３１３１３０３号公報
【発明の概要】
【発明が解決しようとする課題】
【０００７】
特許文献１及び２に記載の如き、吸水性ポリマーを含む吸収体とこれを内包する袋状の包材とを具備する従来の洗髪用吸収パッドは、使い捨て紙おむつなどの排泄物吸収用パッドの基本構成を略そのまま具備する形態であるため、数リットルに及ぶ比較的大量の湯水を使用する洗髪用途では不都合が生じやすい。特に、シャンプー後のすすぎでは大量の湯水が使用され、その使用後の湯水を吸収体が吸収することで大きく膨潤するところ、その吸収体の膨潤によって包材の周縁のシール部が剥がれてしまい、包材の中から吸収体材料が漏れ出してベッドや床などを汚すという問題があった。また、このような吸収体の膨潤に起因する問題に対応すべく、吸収体の吸収容量を意図的に低下させて吸収体の吸収による膨潤度を抑えた設計とした場合には、洗髪における湯水の使用量を抑えなければならなくなるため、シャンプー後のすすぎが不十分となる、吸収体で吸収しきれなかった湯水が周囲に溢れ出すなどの不都合が生じるおそれがある。
【０００８】
従って本発明は、洗髪用途に十分に対応し得る水分吸収性能を有し、周囲を汚すことなく、臥床者の洗髪を簡便に行うことができる洗髪用吸収パッドを提供することに関する。
【課題を解決するための手段】
【０００９】
本発明は、臥床者の洗髪時に該臥床者の頭部の下方に配置され、洗髪に使用した湯水の吸収に使用可能な主パッドと、該主パッドに重ねて使用可能な補助パッドとを有する洗髪用吸収パッドセットであって、前記主パッドは、使用時に臥床者の頭部から相対的に近い位置に配される液透過性の表面シートと、該頭部から相対的に遠い位置に配される液難透過性の裏面シートと、両シート間に配置される主吸収体とを具備する吸収性本体を備え、該吸収性本体は、臥床者の身長方向に対応する縦方向と、該身長方向に直交する方向に対応する横方向とを有し、前記補助パッドは、液透過性の第１のシートと、液透過性又は液難透過性の第２のシートと、両シート間に配置された補助吸収体とを具備し、前記補助パッドの端部が前記主パッドの前記縦方向又は前記横方向の端部に接合されており、その両パッドの接合部を中心として該補助パッドが回動可能になされている洗髪用吸収パッドセットを提供するものである。
【発明の効果】
【００１０】
本発明によれば、洗髪用途に十分に対応し得る水分吸収性能を有し、周囲を汚すことなく、臥床者の洗髪を簡便に行うことができる洗髪用吸収パッドセットが提供される。
【図面の簡単な説明】
【００１１】
【図１】図１は、本発明の洗髪用吸収パッドセットの一実施形態の上面を模式的に示す平面図であり、該吸収パッドセットの補助パッド展開形態での、各部の弾性部材を伸張させて平面状に拡げた展開状態における平面図である。
【図２】図２は、図１のＩ−Ｉ線断面を模式的に示す断面図である。
【図３】図３は、図１に示す洗髪用吸収パッドセットの補助パッド収納形態での図２相当図である。
【図４】図４は、図１に示す洗髪用吸収パッドセットの使用状態の説明図である。
【図５】図１は、図１に示す洗髪用吸収パッドセットにおける主パッドの折り曲げ部（防漏カフ）を展開した状態を模式的に示す上面図である。
【図６】図６は、本発明の洗髪用吸収パッドセットの他の実施形態の図３相当図である。
【図７】図７は、本発明の洗髪用吸収パッドセットのさらに他の実施形態の図３相当図である。
【図８】図８は、本発明に係る補助パッドの他の実施形態の第１のシート側を模式的に示す平面図である。
【図９】図９（ａ）は、図８のＩＩ−ＩＩ線断面を模式的に示す断面図、図９（ｂ）は、本発明に係る補助パッドのさらに他の実施形態の図９（ａ）相当図である。
【図１０】図１０は、本発明の洗髪用吸収パッドセットのさらに他の実施形態の図１相当図であり、補助パッド展開形態での、各部の弾性部材を伸張させて平面状に拡げた展開状態における平面図である。
【図１１】図１１は、図１０に示す洗髪用吸収パッドセットの補助パッド収納形態での平面図である。
【図１２】図１２は、第１使用状態における、本発明の洗髪用吸収パッドセットのより好ましい具体的形態に係る（ａ）正面図及び（ｂ）背面図である。
【図１３】図１３は、図１２に示す第１使用状態の洗髪用吸収パッドセットの（ａ）平面図及び（ｂ）底面図である。
【図１４】図１４は、図１２に示す第１使用状態の洗髪用吸収パッドセットの（ａ）右側面図及び（ｂ）斜視図である。
【図１５】図１５は、第２使用状態における、図１２に示す洗髪用吸収パッドセットの（ａ）正面図及び（ｂ）背面図である。
【図１６】図１６は、図１５に示す第２使用状態の洗髪用吸収パッドセットの（ａ）平面図及び（ｂ）底面図である。
【図１７】図１７は、図１５に示す第２使用状態の洗髪用吸収パッドセットの（ａ）右側面図及び（ｂ）斜視図である。
【図１８】図１８は、第３使用状態における、図１２に示す洗髪用吸収パッドセットの（ａ）正面図及び（ｂ）背面図である。
【図１９】図１９は、図１８に示す第３使用状態の洗髪用吸収パッドセットの（ａ）平面図及び（ｂ）底面図である。
【図２０】図２０は、図１８に示す第３使用状態の洗髪用吸収パッドセットの（ａ）右側面図及び（ｂ）斜視図である。
【図２１】図２１は、図１２に示す洗髪用吸収パッドセットの使用状態を示す模式図である。
【発明を実施するための形態】
【００１２】
以下、本発明の洗髪用吸収パッドセットをその好ましい実施形態に基づき図面を参照して説明する。図１〜図４には、本発明の洗髪用吸収パッドセットの一実施形態である吸収パッドセット１０が示されている。本実施形態の吸収パッドセット１０は、洗髪に使用した湯水の吸収に使用可能な洗髪補助具であり、図４に示すように、符号１００で示す臥床者の洗髪時に、符号１０１で示す臥床者（洗髪対象者）の頭部の下方に配置され、洗髪に使用した湯水の吸収に使用可能な主パッド１と、該主パッド１に重ねて使用可能な補助パッド１２とを有する。本発明でいう「臥床者」とは、ベッドや床に敷かれた布団などの寝床で安静にしている状態の人を意味し、この「安静にしている状態」には、寝床に全身を横たえた状態、寝床で上半身だけ起こした状態などが含まれる。
【００１３】
本実施形態における主パッド１は、図１及び図２に示すように、使用時に洗髪対象者たる臥床者の頭部から相対的に近い位置に配される液透過性の表面シート２と、該頭部から相対的に遠い位置に配される液難透過性の裏面シート３と、両シート２，３間に配置された主吸収体４とを具備する吸収性本体５を備えている。吸収性本体５は、洗髪対象者たる臥床者の身長方向に対応する縦方向Ｘと、該身長方向に直交する左右方向に対応する横方向Ｙとを有している。
【００１４】
本実施形態において吸収性本体５は、図１に示す如き平面視において横方向Ｙに長い矩形形状をなし、吸収性本体５の長手方向は横方向Ｙ即ち洗髪対象者たる臥床者の左右方向に一致し、吸収性本体５の短手方向は縦方向Ｘに一致する。また主吸収体４も、吸収性本体５よりは面積が小さいものの、平面視において横方向Ｙに長い矩形形状をなし、主吸収体４の長手方向が吸収性本体５の長手方向に一致している。表面シート２は、吸収性本体５の上面即ち使用時に洗髪対象者の頭部側に向けられる面を形成し、裏面シート３は、吸収性本体５の下面即ち使用時に洗髪対象者の頭部側に向けられる面とは反対側の面を形成する。
【００１５】
図５には、主パッド１の折り曲げ部（防漏カフ６）を展開した状態が示されている。図５に示すように、表面シート２及び裏面シート３は、平面視において互いに同サイズの同形状（矩形形状）をなしており、それぞれ、主吸収体４よりも面積が大きく、主吸収体４の周縁４Ｅから外方に延出する延出部を有している。より具体的には、表面シート２は、主吸収体４の上面（使用時に洗髪対象者の頭部側に向けられる面）の全域を被覆し、さらに主吸収体４の周縁４Ｅの全体から外方に延出し、また裏面シート３は、主吸収体４の下面（使用時に洗髪対象者の頭部側に向けられる面とは反対側の面）の全域を被覆し、さらに主吸収体４の周縁４Ｅの全体から外方に延出しており、これら両シート２，３の周縁４Ｅからの延出部どうしが、互いに接合され一体化されてフラップ部５Ｆが形成されている。このような主吸収体４の周縁４Ｅからの延出部たるフラップ部５Ｆは、主吸収体４の周縁４Ｅに沿って配され、主吸収体４を包囲している。表面シート２及び裏面シート３それぞれと主吸収体４との間は接着剤によって接合されていても良い。
【００１６】
本実施形態における主パッド１においては、吸収性本体５の縦方向Ｘの両端部に、使用時に上方即ち洗髪対象者の頭部側に向かって起立する一対の防漏カフ６，６が横方向Ｙに延びるように配されている。各防漏カフ６は、主パッド１の横方向Ｙの全長にわたって連続している。各防漏カフ６は、図２〜図４に示すように、吸収性本体５から近い順に、主パッド１の自然状態又は使用状態において上端側が下端側よりも吸収性本体５の縦方向中央５Ｃｘから近い位置に配される基壁部６０と、該基壁部６０の上端部６０ａに連接され、自然状態又は使用状態において該基壁部６０の上端部６０ａよりも吸収性本体５の縦方向中央５Ｃｘから遠い位置に配される自由端部６１ａを有し且つ横方向Ｙに伸縮性を有する弾性伸縮部６１とを含んで構成されている。斯かる構成の防漏カフ６は、主パッド１の自然状態即ち外力がかかっていない状態において、図２又は図３に示す如き縦方向Ｘに沿う断面視においてＺ字状をなす。
【００１７】
各防漏カフ６（基壁部６０及び弾性伸縮部６１）は、図５に示すように、フラップ部５Ｆにおける主吸収体４に沿って横方向Ｙに延びる帯状部分５Ｆｙ、即ち表面シート２と裏面シート３との主吸収体４からの延出部の積層構造体が、主吸収体４の縦方向Ｘの外方に位置して横方向Ｙに延びる２本の折曲線６５，６６にて、上面側即ち表面シート２側に折り曲げられて形成されており、フラップ部５Ｆの折り畳み構造を含む。フラップ部５Ｆの帯状部分５Ｆｙは、相対的に主吸収体４から近い第１折曲線６５にて表面シート２側に折り曲げられ、さらに相対的に主吸収体４から遠い第２折曲線６６にて縦方向Ｘの外方に折り返されており、帯状部分５Ｆｙにおける第１折曲線６５と第２折曲線６６とに挟まれた部分が防漏カフ６の基壁部６０、帯状部分５Ｆｙにおける第２折曲線６６より縦方向Ｘの外方に位置する部分が防漏カフ６の弾性伸縮部６１である。防漏カフ６は、液難透過性の裏面シート３が表面シート２側（吸収性本体５の上面側）に巻き上げられた部分であるということができる。
【００１８】
弾性伸縮部６１には、糸状の弾性部材６２が横方向Ｙに伸長状態で固定されており、これにより弾性伸縮部６１の横方向Ｙの両端部間（後述する弾性伸縮部固定部６３，６３間）が横方向Ｙに伸縮性を有している。弾性伸縮部６１に配される弾性部材６２の数は１本でも良いが、本実施形態のように、複数本好ましくは３〜１４本、さらに好ましくは４〜１２本が縦方向Ｘ（弾性伸縮部６１の幅方向）に間欠配置されていると、弾性伸縮部６１が図１及び図２に示すように面状をなし、この面状部分が洗髪対象者の肌に肌触りよく当接し得るため好ましい。
【００１９】
糸状の弾性部材６２の繊度は、６２０〜１２４０ｄｔｅｘが好ましく、糸状の弾性部材６２の伸張倍率（自然長に対する伸張後の長さの比）は、弾性部材６２の繊度や本数にもよるが１．４〜３．０倍、好ましくは１．５〜２．５倍であることが、洗髪対象者の肌に肌触りよく当接し得るため好ましい。また、断面が略円形状の糸状の弾性部材６２に変えて、断面が扁平な平ゴムを使用することもできる。
【００２０】
各防漏カフ６においては、横方向Ｙの両端部を除く部分、より具体的には主パッド１の自然状態において主吸収体４と横方向Ｙにおいて同位置に存する部分は、弾性伸縮部６１は他の部材に接合されていないが、横方向Ｙの両端部においては、弾性伸縮部６１を含む、フラップ部５Ｆの折り畳み構造を構成する各層が互いに接合されて弾性伸縮部固定部６３が形成されている。つまり、平面視矩形形状の主パッド１の四隅に弾性伸縮部固定部６３が形成されている。このように、長手方向（横方向Ｙ）に伸縮性を有する弾性伸縮部６１の両端部が他の部材（基壁部６０）に固定されて弾性伸縮部固定部６３が形成されていることにより、主パッド１の自然状態において、その両固定部６３，６３間で非固定の弾性伸縮部６１が横方向Ｙに収縮し、それによって防漏カフ６が上方に向かって起立し、それに伴って主パッド１は上面側即ち表面シート２側に凹状に湾曲する。
【００２１】
また、本実施形態における補助パッド１２は、図１〜図３に示すように、液透過性の第１のシート１３と、液透過性又は液難透過性の第２のシート１４と、両シート１３，１４間に配置された補助吸収体１５とを具備する。補助パッド１２の基本構成は、主パッド１と実質的に同じである。
【００２２】
本実施形態の吸収パッドセット１０においては、その展開状態即ち吸収パッドセット１０の各部の弾性部材を伸張させて平面状に拡げた状態において、補助パッド１２は図１に示すように、主パッド１に比して平面視における面積が小さく、平面視において主パッド１よりも小型の四角形形状（正方形形状又は矩形形状）をなしている。さらに言えば、本実施形態における補助パッド１２は、図１に示すように、主パッド１の主吸収体４に比して横方向Ｙの長さが短い。また、補助パッド１２を構成する第１のシート１３及び第２のシート１４は、平面視において互いに同サイズの同形状（四角形形状）をなし、それぞれ、補助吸収体１５よりも面積が大きく、補助吸収体１５の周縁１５Ｅから外方に延出する延出部を有している。両シート１３，１４の補助吸収体１５の周縁１５Ｅからの延出部どうしは、互いに接合され一体化されてフラップ部１６が形成されている。このような補助吸収体１５の周縁１５Ｅからの延出部たるフラップ部１６は、補助吸収体１５の周縁１５Ｅに沿って配され、補助吸収体１５を包囲している。第１のシート１３及び第２のシート１４それぞれと補助吸収体１５との間は接着剤によって接合されていても良い。
【００２３】
本実施形態の吸収パッドセット１０の主たる特徴の１つとして、補助パッド１２の端部が主パッド１の縦方向Ｘの一端部（横方向Ｙに沿う一側部）に接合されており、その両パッド１，１２の接合部１７を中心として補助パッド１２が縦方向Ｘに回動可能になされている点が挙げられる。より具体的には図１〜図４に示すように、平面視四角形形状の補助パッド１２の輪郭をなすフラップ部１６の一端部が、主パッド１の横方向Ｙに延びる縦方向Ｘの両端部のうち、使用時に洗髪対象者（臥床者）の後頚部に対応する縦方向端部とは反対側の端部（使用時に洗髪対象者の頭部及び頚部と接触しない縦方向端部）に接合されてパッド接合部１７が形成され、このパッド接合部１７を介して両パッド１，１２が一体となっている。補助パッド１２は、主パッド１の縦方向Ｘの中央に位置している。両パッド１，１２の接合手段としては、ホットメルト接着剤等の各種接着剤、ヒートシール、超音波シール等の公知の接合手段を用いることができる。また、両パッド１，１２が分離可能なようにパッド接合部１７に、分離用のミシン目（図示せず）が入っていても良い。
【００２４】
主パッド１における補助パッド１２の接合部位に関し、本実施形態においては図１〜図４に示すように、補助パッド１２は、主パッド１における防漏カフ６の弾性伸縮部６１の自由端部６１ａに接合されている。このように、補助パッド１２が防漏カフ６の自由端部６１ａに接合されていると、図４に示す如く、補助パッド１２を主パッド１側とは反対側にめくり上げた状態とし、吸収パッドセット１０を主パッド１と補助パッド１２とが重ならない形態（後述する補助パッド展開形態）として洗髪に使用した場合に、補助パッド１２が接合されている防漏カフ６が該補助パッド１２によって潰されにくくなるため、該防漏カフ６の所定の起立高さが維持され、防漏カフ６に期待される防漏効果がより確実に奏されるようになる。
【００２５】
本実施形態の吸収パッドセット１０は、補助パッド１２がパッド接合部１７を中心に縦方向Ｘ即ち洗髪対象者の身長方向に回動可能であることにより、複数の使用形態を採り得る。即ち本実施形態の吸収パッドセット１０は、図１及び図２に示す如き、主パッド１の主吸収体４と補助パッド１２の補助吸収体１５とが重ならず且つ第２のシート１４が補助パッド１２の上面を形成する形態（補助パッド展開形態）を採ることもできるし、あるいは図３に示す如き、主パッド１の主吸収体４と補助パッド１２の補助吸収体１５とが重なり且つ第１のシート１３が補助パッド１２の上面を形成する形態（補助パッド収納形態）を採ることもできる。前記補助パッド収納形態から補助パッド１２をパッド接合部１７周りにめくり上げれば前記補助パッド展開形態となり、また、めくり上げた補助パッド１２をパッド接合部１７周りに主パッド１側に回動させれば前記補助パッド収納形態となる。尚、図２及び図３では説明容易の観点から、補助パッド１２が主パッド１の防漏カフ６によって下方から支持されて浮き上がっているように記載されているが、実際の使用時においては補助パッド１２が図示の如く浮き上がった状態で支持されるわけではなく、前記補助パッド展開形態においては通常、補助パッド１２は主パッド１の周辺に載置され、前記補助パッド収納形態においては通常、補助パッド１２は主パッド１の表面シート２上に直接載置される。
【００２６】
本実施形態の吸収パッドセット１０を用いて洗髪をする場合、前記の２種類の使用形態を任意に選択することができる。例えば、洗髪対象者の頭髪量が比較的多いために、洗髪に使用する湯水の量が多く、主パッド１のみでは湯水を十分に吸収しきれないことが懸念される場合は、吸収パッドセット１０を前記補助パッド収納形態（図３参照）として、主パッド１（主吸収体４）上に補助パッド１２（補助吸収体１５）を重ねた状態で洗髪作業の全部又は一部を行う。また例えば、先ずは、前記補助パッド展開形態（図１及び図２参照）として主パッド１上で洗髪を行い、次に前記補助パッド収納形態として、未使用のきれいな補助パッド１２上で仕上げの洗髪を行うことができる。
【００２７】
尚、主パッド１上に補助パッド１２を重ねた状態においては、即ち吸収パッドセット１０が前記補助パッド収納形態を採っている場合は、図３に示すように、第１のシート１３が補助パッド１２の上面を形成しており、補助パッド１２の上面は液透過性である。従って、前記補助パッド収納形態を洗髪に使用した場合には、洗髪に使用した湯水が補助パッド１２の液透過性の上面から内部に速やかに移行し得る。また、補助パッド１２は、１）第１のシート１３及び第２のシート１４の何れも液透過性の形態、及び２）第１のシート１３は液透過性、第２のシート１４は液難透過性の形態を採り得るところ、前記２）の形態においては、前記補助パッド収納形態での使用において作業ミスなどにより誤って、液難透過性の第２のシート１４が補助パッド１２の上面を形成することが起こり得る。この点、本実施形態の吸収パッドセット１０は、前記補助パッド収納形態を採るときには第１のシート１３が補助パッド１２の上面を形成するように、主パッド１と補助パッド１２とが接合されているので、このような洗髪時の作業ミスの発生を未然に防止することができる。
【００２８】
また前記補助パッド展開形態では、補助パッド１２は、洗髪に使用した湯水の積極的な吸収には寄与しないが、洗髪時に主パッド１上から洗髪対象者とは反対側の外方に飛散した湯水を受け止める役割を果たし、これによって主パッド１の周辺の濡れや汚れが効果的に防止される。このような、前記補助パッド展開形態における補助パッド１２の役割を考慮すると、斯かる形態において上面を形成する第２のシート１４としては、第１のシート１３と同様の液透過性シートを用いるという選択もあり得るし、液難透過性シートを用いることもあり得る。尚、補助パッド１２の各部材としては、主パッド１における同様の役割を担う部材として使用可能なものを適宜用いることができる。
【００２９】
また、本実施形態の吸収パッドセット１０は、洗髪用途に十分に対応できる高い吸収性能を有しつつも、その高い吸収性能を担う吸収体が、分離可能な主パッド１（主吸収体４）と補助パッド１２（補助吸収体１５）とに分けられ、主パッド１上に補助パッド１２を重ねる前記補助パッド展開形態を採ることが可能であるため、一枚の連続した吸収体を用いて同レベルの吸収性能を確保した形態に比して使用形態がコンパクトなものとなり得、洗髪を行うための作業スペースが狭い場合にも十分に対応できる。
【００３０】
ところで、吸収パッドセット１０においては、図６及び図７に示すように、補助パッド１２における、補助パッド１２を主パッド１上に重ねるときに主パッド１と対向する面（第２のシート１４）に、補助パッド１２を主パッド１に着脱自在に固定する固定手段１８が配されていても良い。補助パッド１２にこのような固定手段１８が配されていると、吸収パッドセット１０が前記補助パッド収納形態を採ったときに、補助パッド１２が固定手段１８を介して主パッド１に固定されるため、補助パッド１２の位置ずれが起こり難い。また、補助パッド１２の固定手段１８による主パッド１への固定は、着脱自在ないわゆる仮止めであるため、仮に洗髪作業中に補助パッド１２の位置ずれが発生しても、これを剥がして適切な位置に固定し直すことができる。
【００３１】
図６に示す形態及び図７に示す形態の何れにおいても、固定手段１８は補助パッド１２におけるパッド接合部１７の配置側とは反対側の縦方向Ｘの端部に配されている。固定手段１８は、それが配された補助パッド１２の端部に沿って延びる帯状をなしていても良い。図６に示す形態においては、前記補助パッド収納形態において固定手段１８が主パッド１の主吸収体４上に位置するので、補助パッド１２における該固定手段１８の配置側の縦方向Ｘの端部は主吸収体４上に仮止めされる。一方、図７に示す形態においては、前記補助パッド収納形態において固定手段１８が主パッド１の防漏カフ６上、より具体的には、使用時に洗髪対象者（臥床者）の後頚部に対応する縦方向端部に配された防漏カフ６の弾性伸縮部６１上に位置するので、補助パッド１２における該固定手段１８の配置側の縦方向Ｘの端部は該弾性伸縮部６１上に仮止めされる。固定手段１８としては、メカニカルファスナーの雄材、粘着剤、アンチスリップ材等を用いることができるが、湿潤状態においても仮止め機能が安定的に発揮され得るメカニカルファスナーの雄材が特に好ましく、例えば株式会社クラレ製のマジックテープ（登録商標）、スリーエムジャパン社製のフックテープが挙げられる。
【００３２】
主パッド１についてさらに説明すると、表面シート２と裏面シート３との主吸収体４の周縁４Ｅからの延出部どうし、即ちフラップ部５Ｆにおける両シート２，３どうしは、図５に示すように、平面視線状の強接合部７を介して互いに接合されていることが好ましい。ここでいう「強接合部」とは、剥離強度が好ましくは８Ｎ／５ｃｍ以上、さらに好ましくは９Ｎ／５ｃｍ以上、より好ましくは１０Ｎ／５ｃｍ以上の接合部を意味する。尚、両シート２，３どうしは、強接合部７の他に、強接合部７よりは相対的に剥離強度が低く（即ち剥離強度が８Ｎ／５ｃｍ未満であり）、接合度が弱い弱接合部によっても接合されていても良い。ここでいう「剥離強度」は、フラップ部５Ｆにおける両シート２，３を、相対的に主吸収体４から近い側から相対的に主吸収体４から遠い側に向かう方向（両シート２，３の主吸収体４の周縁４Ｅからの延出方向。フラップ部５Ｆの長手方向と直交する幅方向。）に剥離したときの剥離強度を意味する。剥離強度は下記方法により測定される。
【００３３】
＜剥離強度の測定方法＞
吸収パッドにおける、表面シートと裏面シートとの吸収体の周縁からの延出部（フラップ部）から、その延出方向に延びる２辺を有する平面視矩形形状ないし正方形形状を切り出して測定サンプルとし、テンシロン引張試験機を用いてその測定サンプルを該延出方向に剥離し、その際の引張強さの最大値を測定する。
主パッド１を例にとってより具体的に説明すると、フラップ部５Ｆにおける縦方向Ｘに延びる部分（帯状部分５Ｆｙ以外の部分）の剥離強度を測定する場合には、該部分を横方向Ｙに横断しさらに主吸収体４の周縁４Ｅから主吸収体４の内方に２０ｍｍにわたる直線を一辺（長辺）とし且つ該一片に直交して縦方向Ｘに延びる他の一辺（短辺）の長さが５０ｍｍである、平面視矩形形状ないし正方形形状を切り出して測定サンプルとする。この測定サンプルの横方向Ｙの両端（長手方向両端）のうち、主吸収体４の一部（周縁４Ｅから２０ｍｍにわたる主吸収体４の周縁部）が存する側の端から横方向Ｙに２０ｍｍにわたる部分における２枚のシート即ち表面シート２及び裏面シート３を、それぞれそれらが重なっている主吸収体４から手指で剥離し、その剥離された２枚のシート２，３の端部を、テンシロン引張試験機（例えば、株式会社オリエンテック製、商品名「ＲＴＡ−１００」）のチャック間にセットする。そして、剥離速度３００ｍｍ／ｍｉｎで、測定サンプルにおいて互いに接合されている２枚のシートを１８０°方向即ち前記延出方向である主パッド１における横方向Ｙに引き剥がし、その際の引張強さの最大値（材料破壊が起きた場合はその直前の引張強さ）を測定し、その測定値を当該測定対象部位（フラップ部５Ｆにおける縦方向Ｘに延びる部分）の剥離強度とする。測定は６回行い（ｎ＝６）、平均値を測定値とする。測定は、気温２０℃、６５％ＲＨの環境下で行う。
また、フラップ部５Ｆにおける横方向Ｙに延びる部分（帯状部分５Ｆｙ）の剥離強度を測定する場合には、帯状部分５Ｆｙにおける基壁部６０（弾性部材６２の非配置部分）を縦方向Ｘに縦断しさらに主吸収体４の周縁４Ｅから主吸収体４の内方に２０ｍｍにわたる直線を一辺（長辺）とし且つ該一片に直交して横方向Ｙに延びる他の一辺（短辺）の長さが５０ｍｍである、平面視矩形形状ないし正方形形状を切り出して測定サンプルとし、この測定サンプルについて、前記の帯状部分５Ｆｙ以外の部分の剥離強度と同様の方法で、前記延出方向である主パッド１における縦方向Ｘに引き剥がした際の剥離強度を測定する。
【００３４】
強接合部７の存在によって、主吸収体４が洗髪で使用された大量の湯水を吸収して大きく膨潤しても、その主吸収体４の膨潤によっては両シート２，３の破れが起こり難くなるため、吸収性本体５から吸水性ポリマーなどの吸収体材料が漏れ出して周辺のベッドや床などを汚すなどの不都合の発生が防止される。また斯かる効果の発現に付随して、主吸収体４の膨潤に起因するシート２，３の破れに配慮する必要が無くなるため、主吸収体４に洗髪用途に耐え得る高い吸収性能を付与することが可能となる。そして、そのような高い吸収性能を有する主パッド１は、洗髪用途に十分に対応し得る水分吸収性能を有するため、その使用時にはシャンプー後のすすぎを十分に行うことができ、主パッド１の周囲を汚さずに臥床者の洗髪を簡便に行うことができる。
【００３５】
主パッド１においては図５に示すように、強接合部７は平面連続視直線状をなし、主吸収体４の周縁４Ｅに沿ってこれを包囲するように形成されている。強接合部７に期待される役割を考慮すると、平面視線状の強接合部７が主吸収体４の近傍を主吸収体４に沿って延びるように配されていることが好ましく、また、該強接合部７の長手方向長さは、該強接合部７の近傍の主吸収体４の縁部の長さと同じかそれよりも長いことが好ましい。ここでいう「線状」は、直線及び曲線の両方を含み、連続線でも破線でも良いし、幅のある帯状であっても良い。特に好ましいのは、線状又は帯状の強接合部７が主吸収体４を包囲する形態であり、主パッド１では斯かる好ましい形態が採用されている。
【００３６】
また主パッド１においては、縦方向Ｘと横方向Ｙとで線状の強接合部７の数が異なっている。即ち図５に示すように、主パッド１の横方向Ｙに沿う両端部には直線状の強接合部７が１本だけ配されているのに対し、主パッド１の縦方向Ｘに沿う両側部には直線状の強接合部７が３本配されており、後者の方が線状の強接合部７の数が多い。本実施形態においてこのような強接合部７の偏在形態を採用した理由は、洗髪時における湿潤状態のなりやすさが、主パッド１の縦方向Ｘに沿う両側部と横方向Ｙに沿う両端部とで異なるためである。即ち、主パッド１の横方向Ｙに沿う両端部には、洗髪に使用した湯水の外部への漏れ出しを防止する防漏カフ６が配されており、しかも本実施形態においては前述した通り、防漏カフ６が液難透過性の裏面シート３の巻き上げ部であり、防漏カフ６の外面（表面シート２と接触し得る面とは反対側の面）が湯水を透過し難いシートで形成されているため、主パッド１の横方向Ｙに沿う両端部は、洗髪時に比較的湿潤状態になりにくく、それ故シート２，３の破れが比較的起こりにくいのに対し、主パッド１の縦方向Ｘに沿う両側部は、防漏カフ６が配されていないため、洗髪時に比較的湿潤状態になりやすく、それ故シート２，３の破れが比較的起こりやすい。そこで、比較的湿潤状態になりやすい主パッド１の縦方向Ｘに沿う両側部には、主パッド１の横方向Ｙに沿う両端部よりも多くの線状の強接合部７が配されている。
【００３７】
また図５に示すように、主パッド１の横方向Ｙの両端部即ち縦方向Ｘに沿う両側部においては、縦方向Ｘに延びる複数（図５では３本）の平面視線状の強接合部７が横方向Ｙに間欠配置されている。このように、主パッド１の内方から外方にかけて、具体的には例えば横方向Ｙに、線状の強接合部７が間欠配置されていることにより、その複数の強接合部７それぞれが、洗髪に使用された湯水の面方向の移行を妨げる堤防のような働きをするため、湯水の面方向の拡散がより効果的に抑制され、さらに、洗髪に使用した湯水による濡れに起因する強度低下、主パッド１の使用中又は使用後におけるシート２，３の剥がれがより効果的に抑制される。
【００３８】
強接合部７において、表面シート２と裏面シート３との接合手段は特に制限されず、ホットメルト接着剤等の各種接着剤、ヒートシール、超音波シール等の公知の接合手段やこれらの組み合わせを用いることができる。本実施形態における強接合部７の接合手段は接着剤である。
【００３９】
前述した強接合部７による作用効果をより確実に奏させるようにする観点から、各部の寸法等は下記のように設定することが好ましい。
１本の線状の強接合部７の幅（強接合部７の長さ方向と直交する方向の長さ）は、好ましくは１ｍｍ以上、さらに好ましくは２ｍｍ以上、より好ましくは３ｍｍ以上、そして、好ましくは５０ｍｍ以下であり、より具体的には、好ましくは２ｍｍ以上５０ｍｍ以下、さらに好ましくは３ｍｍ以上５０ｍｍ以下である。
同方向に延びる複数本の線状の強接合部７の間隔Ｄ（図５参照）は、好ましくは１０ｍｍ以上、さらに好ましくは１５ｍｍ以上、そして、好ましくは５０ｍｍ以下、さらに好ましくは４０ｍｍ以下である。
主パッド１の縦方向Ｘに沿う両側部（防漏カフ６が配置されていない吸収パッドの縁部）における線状の強接合部７の数は、好ましくは２本以上、さらに好ましくは３本以上、そして、好ましくは９本以下、さらに好ましくは８本以下である。
【００４０】
本実施形態における主パッド１には、前述した通り、吸収性本体５の縦方向Ｘの両端部に、使用時に上方に向かって起立する一対の防漏カフ６，６が横方向Ｙに延びるように配されており、この防漏カフ６の存在によって、洗髪に使用した湯水が主パッド１の外部へ漏れ出す不都合が効果的に防止される。特に本実施形態においては、前述した通り防漏カフ６が、縦方向Ｘに沿う断面視においてＺ字状をなす、フラップ部５Ｆの折り畳み構造をなしているため、図４に示すように主パッド１（吸収パッドセット１０）の使用時において、防漏カフ６の基壁部６０と表面シート２との間にポケット構造が形成され、このポケット構造によって液の拡散、外部への液の漏れ出しが一層効果的に抑制される。
【００４１】
また防漏カフ６は、このような防漏機能のみならず、図４に示すように、洗髪される臥床者１００の後頚部を下方から支持して頭部１０１の位置を安定させる機能も有している。この点、本実施形態における防漏カフ６は、前述の如き断面視Ｚ字状をなしていることなどに起因して弾性伸縮部６１が比較的幅広の構造をとりやすく、臥床者１００の後頚部に隙間なくフィットしやすいため、頭部１０１を安定的に支持し、且つ洗髪に使用した湯水が臥床者１００の後頚部を伝って主パッド１の外部に漏れ出す不都合を効果的に防止し得る。
【００４２】
このような防漏カフ６の作用効果を考慮すると、防漏カフ６の好ましい実施形態として下記１）及び２）が挙げられる。
１）主パッド１における使用時に洗髪対象者（臥床者）の後頚部に対応する部位に、該洗髪対象者の後頚部に向かって起立する防漏カフ６が配され、該防漏カフ６における該後頚部と接触し得る上部が、該洗髪対象者の左右方向即ち横方向Ｙに伸縮性を有する弾性伸縮部６１である。
２）少なくとも洗髪対象者の後頚部に対応する防漏カフ６の弾性伸縮部６１に、横方向Ｙに延びる複数の弾性部材６２が、洗髪対象者（臥床者）の身長方向即ち縦方向Ｘに間欠配置され、弾性伸縮部６１の自然状態における幅Ｗ１（図１参照）が、好ましくは３０ｍｍ以上、さらに好ましくは４０ｍｍ以上、そして、好ましくは１２０ｍｍ以下、さらに好ましくは１００ｍｍ以下である。
【００４３】
主パッド１は、横方向Ｙ即ち洗髪対象者（臥床者）の左右方向の長さが、縦方向Ｘ即ち洗髪対象者（臥床者）の身長方向の長さに対して、１．４倍以上、特に１．６倍以上であることが好ましい。主パッド１の平面視形状がこのような、洗髪対象者の左右方向に長い横長の形状をなしていることにより、図４に示す如き主パッド１（吸収パッドセット１０）の使用時に、主パッド１を左右方向に適宜移動させて、主パッド１における洗髪対象者の頭部の下方に位置する部分を洗髪対象者（臥床者）の髪の長さによって、適宜変更することが可能となり、それによって髪を左右どちらかに置くことができるため、洗髪作業を容易に行うことができる。前記の縦方向Ｘの長さに対する横方向Ｙの長さの比率の上限値については特に制限はないが、主パッド１のハンドリング性などを考慮すると、好ましくは３．５倍以下、さらに好ましくは３．０倍以下である。
【００４４】
主パッド１の自然状態での大きさは特に制限されないが、縦方向Ｘ即ち洗髪対象者（臥床者）の身長方向の長さは、好ましくは３００ｍｍ以上、さらに好ましくは３５０ｍｍ以上、そして、好ましくは７５０ｍｍ以下、さらに好ましくは７００ｍｍ以下であり、横方向Ｙ即ち洗髪対象者（臥床者）の左右方向の長さは、好ましくは５００ｍｍ以上、さらに好ましくは６００ｍｍ以上、そして、好ましくは１２００ｍｍ以下、さらに好ましくは１１００ｍｍ以下である。
また、主吸収体４の縦方向Ｘの長さは、好ましくは２８０ｍｍ以上、さらに好ましくは３５０ｍｍ以上、そして、好ましくは７５０ｍｍ以下、さらに好ましくは７００ｍｍ以下であり、横方向Ｙの長さは、好ましくは４００ｍｍ以上、さらに好ましくは４５０ｍｍ以上、そして、好ましくは１０００ｍｍ以下、さらに好ましくは９００ｍｍ以下である。
また、縦方向Ｘに延びるフラップ部５Ｆの幅Ｗ２（図１参照）は、好ましくは５０ｍｍ以上、さらに好ましくは７５ｍｍ以上、そして、好ましくは２００ｍｍ以下、さらに好ましくは１６０ｍｍ以下である。
【００４５】
主パッド１の各部材については、基本的に使い捨ておむつなどの排泄物吸収用物品において従来用いられているものを特に制限なく用いることができる。表面シート２としては、液透過性シートとして例えば、合成繊維又は天然繊維からなる親水性の織布や不織布、多孔性シート、メッシュシート等が挙げられる。裏面シート３としては、液難透過性シートとして例えば、ポリエチレンフィルム等やポリプロピレンフィルムの樹脂製フィルム、撥水不織布等の不織布、不織布と樹脂製フィルムとを熱又は接着剤によってラミネートした複合シート等が挙げられる。ここでいう「液難透過性」には、液の透過を完全に遮断し得る液不透過性と、水蒸気が透過できる程度の透過性を有する性質とが含まれる。裏面シート３の好ましい一例として、使用時に臥床者（洗髪対象者）の頭部から近い順に、樹脂製フィルムと不織布とが順次積層された複合シートが挙げられる。斯かる複合シートは風合いと強度に優れるという特長を有する。
【００４６】
一般に、不織布は繊維が配向する繊維配向方向とそれに直交する直交方向を有しているが、繊維配向方向の方が直交方向よりも引張強度が強い。そのため、主パッド１の形成材料（例えば表面シート２、裏面シート３）として不織布を用いる場合には、不織布の繊維配向方向を、主パッド１の横方向Ｙ、即ち洗髪対象者たる臥床者の左右方向に一致させることで、材料強度が高くなり、材料破壊を抑えることができる。そのためフラップ部の横方向の強度をさらに高めることができる。
【００４７】
主吸収体４としては、吸水性ポリマーを含む吸収性コアを用いることができる。この吸収性コアには親水性繊維を含めることができ、該親水性繊維としては、木材パルプの如き本来的に親水性の繊維の他、本来的に疎水性の繊維に親水化処理を施した繊維を用いることもできる。吸収性コアの典型的なものは、繊維材料の集合体で吸水性ポリマーの小片を含有するものが挙げられる。吸収性コアの坪量は、洗髪用途に十分に対応できる吸収容量を確保する観点から、好ましくは２５０ｇ／ｍ２以上、さらに好ましくは３００ｇ／ｍ２以上、そして、好ましくは９００ｇ／ｍ２以下、さらに好ましくは８００ｇ／ｍ２以下である。尚、吸収性コアの坪量が大きくなって吸収容量が向上すると、その吸収性コアが吸水して膨潤したときにこれを包む表面シートや裏面シートの破れが懸念されるが、この点、主パッド１については前述した工夫が施されていることにより、そうした懸念が払拭されており、純粋に吸収性能の向上を追求した設計を採り得る。
【００４８】
主吸収体４（吸収性コア）に含まれる吸水性ポリマーとしては、一般に粒子状のものが用いられるが、繊維状のものでも良い。粒子状の吸水性ポリマーを用いる場合、その形状は球状、塊状、俵状又は不定形のいずれでも良い。吸水性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。主吸収体４（吸収性コア）における吸水性ポリマーの含有量は、主吸収体４（吸収性コア）の全質量に対して、好ましくは１０質量％以上、さらに好ましくは１５質量％以上、そして、好ましくは７０質量％以下、さらに好ましくは６０質量％以下である。
【００４９】
主パッド１の脱イオン水に対する遠心保持量は、好ましくは１５００ｇ以上、さらに好ましくは２０００ｇ以上である。また、主吸収体４（吸収性コア）に用いる吸水性ポリマーの遠心保持量は、好ましくは２００ｇ／ｇ以上、さらに好ましくは２２５ｇ／ｇ以上、より好ましくは２５０ｇ／ｇ以上である。吸水性ポリマーの遠心保持量は、吸水性ポリマーの吸水量（吸水倍率）に関連する特性であり、遠心保持量の値が大きいほど、吸水性ポリマーの吸水量（吸水倍率）が大きい。脱イオン水に対する遠心保持量が前記範囲にある吸水性ポリマーを使用することで、数リットルもの比較的大量の湯水の吸収が要求される洗髪用途に好適な吸収パッド、即ち脱イオン水に対する遠心保持量が１５００ｇ以上の吸収パッドである主パッド１が得られる。吸収パッド及び吸水性ポリマーそれぞれの遠心保持量は下記方法により測定される。
【００５０】
＜吸収パッドの遠心保持量の測定方法＞
ナイロン製の織布（メッシュ開き２５５、三力製作所販売、品名：ナイロン網、規格：２５０×メッシュ巾１１５０ｍｍ×３０ｍ）を幅５０ｃｍ、長さ１００ｃｍの長方形に切断して長手方向中央で二つ折りにし、その二つ折りした織布の周縁の一部をヒートシールして幅５０ｃｍ（内寸４５ｃｍ）、長さ５０ｃｍのナイロン袋を作製する。このナイロン袋の周縁における未ヒートシール部分は、ナイロン袋内に測定試料（吸収パッド）を入れる際に利用される開き部となる。このナイロン袋に測定試料を封入して遠心保持量の測定を行うが、測定試料のサイズがナイロン袋よりも大きく、測定試料を折り曲げたりせずに自然状態のままでその全体をナイロン袋に収容できない場合は、測定試料を複数に分割（例えば、測定試料である吸収パッドを２〜６等分の大きさに分割）し、その複数の分割測定試料それぞれについて遠心保持量の測定を行う。
より具体的には例えば、ナイロン袋よりもサイズの大きい測定試料である吸収パッドを、幅４０ｃｍ以下長さ４０ｃｍ以下の大きさに分割して切り出し、その複数の分割測定試料をそれぞれ、該分割測定試料における一部と他の一部とが重ならないようにナイロン袋に入れた後、ナイロン袋の開き部をヒートシールする。こうして測定試料（分割測定試料）が封入されたナイロン袋を、２５℃に調温した脱イオン水に浸漬させる。浸漬開始から３０分後にナイロン袋を脱イオン水から取り出し、１時間垂直状態に吊るして水切りした後、遠心脱水器（株式会社コクサン製、型式Ｈ−１３０Ｃ特型）を用いて脱水する。脱水条件は、１４３Ｇ（８００ｒｐｍ）で１０分間とする。脱水後、試料の重量を測定し、次式に従って目的とする遠心保持量を算出する。
遠心保持量（ｇ）＝ａ’−ｂ−ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。測定は３回行い（ｎ＝３）、平均値を測定値とする。また、測定は２３±２℃、湿度５０±５％で行い、測定の前に測定試料を同環境で２４時間以上保存した上で測定する。
尚、前記したように、測定試料である吸収パッドを分割した場合は、その複数の分割測定試料それぞれについて前記手順により遠心保持量を測定し、それら複数の遠心保持量の合計値を、当該測定試料である吸収パッドの遠心保持量とする。
【００５１】
＜吸水性ポリマーの遠心保持量の測定方法＞
ナイロン製の織布を幅２０ｃｍ、長さ６０ｃｍの長方形に切断して幅方向中央及び長手方向中央でそれぞれ二つ折りにし、その二つ折りした織布の周縁の一部をヒートシールして幅１０ｃｍ（内寸１６ｃｍ）、長さ３０ｃｍのナイロン袋を作製する。測定試料である吸水性ポリマー１．００ｇを精秤し、作製したナイロン袋の開き部から該袋内に入れた後、該開き部をヒートシールして、吸水性ポリマーを該袋内に封入する。その際、ナイロン袋の平面視において吸水性ポリマーがナイロン袋の内部に均一に分布するように、ナイロン袋に吸水性ポリマーを入れる。以上の点以外は前記＜吸収パッドの遠心保持量の測定方法＞と同様であるが、吸水性ポリマーの遠心保持量は、次式に従って算出する。
吸水性ポリマーの遠心保持量（ｇ／ｇ）＝（ａ’−ｂ−ｃ）／ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。
【００５２】
吸水性ポリマーの遠心保持量の調整は、例えば、吸水性ポリマーの表面架橋度を調整することによって行うことができる。一般に、吸水性ポリマーの表面架橋度が高くなる（表面架橋処理が進む）と、遠心保持量（吸水倍率）は低くなる傾向がある。具体的には例えば、従来の方法によって製造された表面架橋処理済みの吸水性ポリマーに対して、再度表面架橋処理（後架橋処理）を施すことにより、遠心保持量を前記範囲に調整することが可能である。また、表面架橋を行う、行わないに関わらず、吸水性ポリマー全体の架橋度を高めることでも遠心保持量は調整可能である。
【００５３】
主吸収体４は、吸収性コアとこれを被覆するコアラップシートとを含んで構成されていても良い。コアラップシートとしては、表面シート２として使用可能な液透過性シートを用いることができ、典型的には不織布やティッシュペーパーである。特に不織布は、ティシュペーパーに比べて湿潤時の引張強度が強く、ヒートシールや接着剤による接着強度も高くすることができる点から好ましい。コアラップシートで吸収性コアを被覆する場合、吸収性コアの上面（使用時に洗髪対象者の頭部側に向けられる面）を被覆する上面側コアラップシートと、吸収性コアの下面（使用時に洗髪対象者の頭部側に向けられる面とは反対側の面）を被覆する下面側コアラップシートとが一体化されていると、吸収性コアの吸水による膨潤の度合いが抑えられるため、前述した、フラップ部５Ｆの強接合部７における剥離強度を特定範囲にすることによる効果と相俟って、主パッド１の使用中又は使用後における表面シート２、裏面シート３の剥がれがより効果的に抑制され得る。ここでいう「上面側コアラップシートと下面側コアラップシートとが一体されている」には、両シートが１枚の連続したシートである形態と、それぞれ本来的に独立した２枚のコアラップシートが接着剤などの接合手段によって互いに接合されて一体化されている形態とが含まれる。また、コアラップシートとこれに隣接する表面シート２又は裏面シート３とが接着剤などの接合手段によって互いに接合されていると、両シート２，３の剥がれがより効果的に抑制され得るため好ましい。特にコアラップシートが主パッド１の横方向Ｙに沿って両シート２，３と接合されている形態、即ちコアラップシートと両シート２，３との接合部が平面視において横方向Ｙに延びている形態（例えば、該接合部が平面視において横方向Ｙに延びる線状である形態）は、使用時に洗髪対象者の後頸部側又は頭頂部側での両シート２，３の剥がれがより効果的に抑制され得るため好ましい。
【００５４】
補助パッド１２についてさらに説明すると、補助パッド１２の各部材としては、前述したように、主パッド１における同様の役割を担う部材として使用可能なものを適宜用いることができる。
補助パッド１２の自然状態での大きさは特に制限されないが、縦方向Ｘ即ち洗髪対象者（臥床者）の身長方向の長さは、好ましくは４００ｍｍ以上、さらに好ましくは４４０ｍｍ以上、そして、好ましくは８００ｍｍ以下、さらに好ましくは７５０ｍｍ以下であり、横方向Ｙ即ち洗髪対象者（臥床者）の左右方向の長さは、好ましくは４００ｍｍ以上、さらに好ましくは４４０ｍｍ以上、そして、好ましくは９００ｍｍ以下、さらに好ましくは８００ｍｍ以下である。
また、補助吸収体１５の縦方向Ｘの長さは、好ましくは２５０ｍｍ以上、さらに好ましくは３００ｍｍ以上、そして、好ましくは６５０ｍｍ以下、さらに好ましくは６００ｍｍ以下であり、横方向Ｙの長さは、好ましくは３００ｍｍ以上、さらに好ましくは３５０ｍｍ以上、そして、好ましくは８００ｍｍ以下、さらに好ましくは７００ｍｍ以下である。
補助吸収体１５の坪量は、好ましくは２５０ｇ／ｍ２以上、さらに好ましくは３００ｇ／ｍ２以上、そして、好ましくは９００ｇ／ｍ２以下、さらに好ましくは８００ｇ／ｍ２以下である。
主パッド１における主吸収体４の一面側の面積に対する、補助パッド１２における補助吸収体１５の一面側の面積の比率は、後者／前者として、好ましくは０．４０以上、さらに好ましくは０．４５以上、そして、好ましくは０．８０以下、さらに好ましくは０．７５以下である。
【００５５】
図８〜図１２には、本発明の洗髪用吸収パッドセットの他の実施形態が示されている。後述する他の実施形態については、前記実施形態と異なる構成部分を主として説明し、同様の構成部分は同一の符号を付して説明を省略する。特に説明しない構成部分は、前記実施形態についての説明が適宜適用される。
【００５６】
図８に示す補助パッド１２Ａにおいては、図３に示す如き前記補助パッド収納形態において、補助パッド１２Ａの上面側（第１のシート１３側）の横方向Ｙの両端部に、使用時に上方に向かって起立する一対の防漏カフ１９，１９が、縦方向Ｘに延びて主パッド１の防漏カフ６と交差（直交）するように配されている。斯かる構成により、補助パッド１２Ａの防漏性がより一層向上し得る。この補助パッド用防漏カフ１９は、主パッド１における防漏カフ６と同様に構成することができる。
【００５７】
補助パッド用防漏カフ１９は、図９に示すように、第２のシート１４が第１のシート１３側に巻き上げられた部分を含んで構成されている。斯かる構成の補助パッド用防漏カフ１９を形成する第２のシート１４は、補助パッド用防漏カフ１９の防漏性の向上の観点から、液難透過性であることが好ましい。補助パッド用防漏カフの形態としては、図９（ａ）に示す防漏カフ１９の如き、弾性部材を具備しておらず防漏カフ１９の長手方向に伸縮性を有しない形態でも良く、あるいは図９（ｂ）に示す防漏カフ１９Ａの如き、自由端部に糸状の弾性部材１９０が防漏カフ１９Ａの長手方向に伸長状態で固定された形態でも良い。
【００５８】
図１０及び図１１に示す洗髪用吸収パッドセット１０Ａにおいては、補助パッド１２の端部が主パッド１の横方向Ｙの一端部（縦方向Ｘに沿う一側部）に接合されており、その両パッド１，１２の接合部１７を中心として補助パッド１２が横方向Ｙに回動可能になされている。吸収パッドセット１０Ａにおいては、図１１に示す如き前記補助パッド収納形態において、補助パッド１２は主パッド１における一対の防漏カフ６，６間に配される。吸収パッドセット１０Ａによっても吸収パッドセット１０と同様の効果が奏される。吸収パッドセット１０Ａにおいて、主パッド１における補助パッド１２の接合部位は、図示の形態とは逆に横方向Ｙの他端部、即ち図１０又は図１１における主パッド１の左側の横方向端部でも良い。
【００５９】
また吸収パッドセット１０Ａにおいて、主パッド１が吸収性本体５の縦方向中央５Ｃｘを基準として対称に構成されていると、使用するに際しての主パッド１の位置決めなどに迷うことが少なくなり利便性が向上するため好ましい。つまり主パッド１は、使用時に洗髪対象者（臥床者）の頭頂部よりも縦方向Ｘの外方に配される側と、該洗髪対象者の後頚部に対応する側とで対称に構成されていることが利便性の向上の点で好ましい。
【００６０】
以上、本発明について説明したが、本発明は前述した実施形態に制限されず、本発明の趣旨を逸脱しない範囲で適宜変更可能である。例えば、主パッドの平面視形状は、前記実施形態の如き矩形形状に制限されず、楕円形状などの異方性形状の他、正方形形状、円形状などの等方性形状でも良いが、前述した通り、洗髪対象者（臥床者）の左右方向（横方向）の長さの方がこれに直交する洗髪対象者の身長方向（縦方向）の長さよりも長い異方性形状が好ましい。また、主吸収体４に一旦吸収された液が表面シート２側へ逆流する不都合を防止する観点から、表面シート２と主吸収体４との間に、不織布などからなる液透過性の液逆流防止層を介在配置しても良い。主パッド１及び補助パッド１２には、表面シート２及び第１のシート１３側から見て洗髪対象者の頭の位置を決めやすくするための、位置決め印刷が施されていても良い。さらに、裏面シート３及び第２のシート１４にデザイン印刷が施されていても良い。
【００６１】
図１２は、本発明の洗髪用吸収パッドセット１０のより好ましい具体的な形態を示す図である。図１２に示す形態の洗髪用吸収パッドセット１０は、一方の防漏カフ６が弾性伸縮部６１よりも外方に延出する先端側延出部６１ｂを有しており、該先端側延出部６１ｂに、補助パッド１２のフラップ部１６が接合されている。図１２に示す形態は、洗髪用吸収パッドセット１０の第１使用状態（自然状態）を示す（ａ）正面図及び（ｂ）背面図である。図１３は、図１２に示す第１使用状態の洗髪用吸収パッドセットの（ａ）平面図及び（ｂ）底面図であり、図１４は、図１２に示す第１使用状態の洗髪用吸収パッドセットの（ａ）右側面図及び（ｂ）斜視図である。左側面図は、右側面図と対称に表れる。第１使用状態は、先端側延出部６１ｂが、上方に向かって起立した防漏カフ６により形成される凹部に入り込むように、補助パッド１２を収納した状態である。
図１５は、図１２に示す洗髪用吸収パッドセット１０の第２使用状態（自然状態）を示す（ａ）正面図及び（ｂ）背面図である。図１６は、図１５に示す第２使用状態の洗髪用吸収パッドセットの（ａ）平面図及び（ｂ）底面図であり、図１７は、図１５に示す第２使用状態の洗髪用吸収パッドセットの（ａ）右側面図及び（ｂ）斜視図である。左側面図は、右側面図と対称に表れる。第２使用状態は、先端側延出部６１ｂを上方に向かって立ち上がらせて、補助パッド１２を収納した状態である。
また、図１８は、図１２に示す洗髪用吸収パッドセット１０の第３使用状態（自然状態）を示す（ａ）正面図及び（ｂ）背面図である。図１９は、図１８に示す第３使用状態の洗髪用吸収パッドセットの（ａ）平面図及び（ｂ）底面図であり、図２０は、図１８に示す第３使用状態の洗髪用吸収パッドセットの（ａ）右側面図及び（ｂ）斜視図である。左側面図は、右側面図と対称に表れる。第３使用状態は、補助パッド１２を展開させた状態である。
図２１は、図１２に示す洗髪用吸収パッドセット１０の使用状態を示す模式図である。
洗髪用吸収パッドセット１０は、その外観が意匠的に優れており、図１２に示す洗髪用吸収パッドセット１０を意匠登録出願に変更したときには、その出願に係る意匠は、意匠法に規定される登録要件を満たしている。
図１２に示す洗髪用吸収パッドセット１０の自然状態の全長（正面図の左右方向の長さ）は、例えば、６０ｃｍである。
【符号の説明】
【００６２】
１０，１０Ａ  洗髪用吸収パッドセット
１  主パッド
２  表面シート
３  裏面シート
４  主吸収体
５  吸収性本体
５Ｆ  フラップ部
６  防漏カフ
６０  基壁部
６１  弾性伸縮部
６２  弾性部材
６３  弾性伸縮部固定部
７  強接合部
１２，１２Ａ  補助パッド
１３  第１のシート
１４  第２のシート
１５  補助吸収体
１６  フラップ部
１７  パッド接合部
１８  固定手段
１９，１９Ａ  補助パッド用防漏カフ
１９０  弾性部材
Ｘ  縦方向（洗髪される臥床者の身長方向）
Ｙ  横方向（洗髪される臥床者の左右方向）
【図１】
0006469754.tif 000002
【図２】
0006469754.tif 000003
【図３】
0006469754.tif 000004
【図４】
0006469754.tif 000005
【図５】
0006469754.tif 000006
【図６】
0006469754.tif 000007
【図７】
0006469754.tif 000008
【図８】
0006469754.tif 000009
【図９】
0006469754.tif 000010
【図１０】
0006469754.tif 000011
【図１１】
0006469754.tif 000012
【図１２】
0006469754.tif 000013
【図１３】
0006469754.tif 000014
【図１４】
0006469754.tif 000015
【図１５】
0006469754.tif 000016
【図１６】
0006469754.tif 000017
【図１７】
0006469754.tif 000018
【図１８】
0006469754.tif 000019
【図１９】
0006469754.tif 000020
【図２０】
0006469754.tif 000021
【図２１】
0006469754.tif 000022